(57)【要約】      （修正有）【課題】太陽電池パネルを視認させずに、太陽電池パネルによる表示面積の制限および表現力の制限を緩和する内照式のソーラーサインパネル装置を提供する。【解決手段】太陽電池パネル１００により発電した電力を蓄電池８００に蓄積し、蓄電池８００から電力を供給される光源２３０を用いて本装置の内側から発光する内照式のソーラーサインパネル装置である。２つの主面を有し、一方の主面が太陽電池パネル１００の受光面に重ね合わせられ、光源２３０からの光を、他方の主面に拡散および導光する拡散導光部材２００と、拡散導光部材２００に重ね合わせられ、透光性を有する透光性パネル３００とを備える。拡散導光部材２００および透光性パネル３００は、外部から太陽電池パネル１００に光を透過し、かつ、光源２３０の光を外部に透過する。透光性パネル３００は、図柄、絵柄および文字の少なくとも１つを表示するための基材である。【選択図】図１
0003189696.tif 000002
【実用新案登録請求の範囲】
【請求項１】
太陽電池パネルにより発電した電力を蓄電池に蓄積し、前記蓄電池から電力を供給される光源を用いて本装置の内側から本装置の外部に発光する内照式のソーラーサインパネル装置であって、
２つの主面を有し、一方の主面が前記太陽電池パネルの受光面に重ね合わせられ、前記光源からの光を、他方の主面に拡散および導光する拡散導光部材と、
前記拡散導光部材に重ね合わせられ、透光性を有する透光性パネルと
を備え、
前記拡散導光部材および前記透光性パネルは、前記外部から前記太陽電池パネルに光を透過し、前記光源の光を前記外部に透過し、
前記透光性パネルは、図柄、絵柄および文字の少なくとも１つを表示するための基材である
ソーラーサインパネル装置。
【請求項２】
前記拡散導光部材は、前記太陽電池パネルの前記受光面を覆い、
前記透光性パネルは、前記拡散導光部材と同程度の大きさである
請求項１に記載のソーラーサインパネル装置。
【請求項３】
前記透光性パネルは、２つの主面を有し、一方の主面に入射される光を他方の主面に拡散する
請求項１または２に記載のソーラーサインパネル装置。
【請求項４】
前記透光性パネルは、乳白色である
請求項３に記載のソーラーサインパネル装置。
【請求項５】
前記透光性パネルの２つの主面のうち前記拡散導光部材に隣り合わない主面には、前記図柄、絵柄および文字の少なくとも１つを有する印刷シートが重ね合わされる
請求項１から４のいずれか１項に記載のソーラーサインパネル装置。
【請求項６】
前記透光性パネルは、透明である
請求項１または２に記載のソーラーサインパネル装置。
【請求項７】
前記透光性パネルの２つの主面のうち少なくとも一方の主面には、前記図柄、絵柄および文字の少なくとも１つを有する印刷シートが重ね合わされる
請求項６に記載のソーラーサインパネル装置。
【請求項８】
前記透光性パネルの主面は、前記印刷シートを貼り替え可能である
請求項５または７に記載のソーラーサインパネル装置。
【請求項９】
前記透光性パネルの主面は、前記図柄、絵柄および文字の少なくとも１つを有する
請求項１から４および６のいずれか１項に記載のソーラーサインパネル装置。
【請求項１０】
前記拡散導光部材は、前記拡散導光部材の側面から入射される前記光源からの光を、前記他方の主面に拡散および導光する
請求項１から９のいずれか１項に記載のソーラーサインパネル装置。
【請求項１１】
前記太陽電池パネルは、隙間を置いて配置された複数の太陽電池モジュールを有し、
前記拡散導光部材は、前記太陽電池パネルの背面から、かつ、前記複数の太陽電池モジュールの隙間から前記拡散導光部材に入射される前記光源からの光を、前記拡散導光部材の前記他方の主面に拡散および導光する
請求項１から９のいずれか１項に記載のソーラーサインパネル装置。
【考案の詳細な説明】
【技術分野】
【０００１】
本考案は、装置の内側から発光する内照式のソーラーサインパネル装置に関する。
【背景技術】
【０００２】
広告板、案内表示板、看板等において、装置の内側から発光するものは内照式看板と呼ばれる。内照式看板には外部電源と接続するものが多く、既存の建物や屋外の道路脇、山間部などの配電施工が困難な場所に内照看板を設置するためには、高い施工費用が必要となっている。南海トラフ巨大地震による多大の被害が予想されるなか、場所を選ばず設置できて災害時に停電しても自発光する避難標識といった内照式看板は、社会的に必要とされている。このような状況下で、自然エネルギー、特に太陽電池を利用した照明や標識などが提供されている。
【０００３】
図１２、図１３は、特許文献１に開示された従来技術における誘導装置の平面図、断面図である。この誘導装置は、無色透明の透明板２、透明板２の下に設けられ下面が粗面となっている透明な導光板３、導光板３の下に反射板４を有する誘導標識であって、透明板２と導光板３の間にソーラーパネル５及び印刷層７を設け、さらに、ソーラーパネル５で発電した電気を蓄える蓄電池５２、該電気により発光する光を導光板３内に出射する光源であるＬＥＤ６、該電気の流れを制御する基板５１（制御回路）、および災害感知センサ５２を設けている。
【０００４】
この誘導装置では、ソーラーパネル５が配置される領域と、印刷層７の領域とが区画分けされている。つまり、ソーラーパネル５への入射光を遮らないので発電効率の低下を防止している。
【０００５】
また、特許文献２は、表面および裏面を有する光透過型の太陽電池と、太陽電池の裏面側を覆うように設けられた光透過型の面発光体とを備える光源一体型太陽電池モジュールを開示している。ここで、太陽電池は表面側から入射する光を利用して電力を発生する。面発光体は太陽電池で発生した電力を利用してその両面から面発光する。面発光体の両面から面発光される光のうち太陽電池の裏面と隣接する面発光体の一方の面から面発光された光は太陽電池を透過して太陽電池の表面側へ出射され、他方の面から面発光された光は太陽電池の裏面側へ出射される。さらに、この光源一体型太陽電池モジュールは、任意の図柄が印刷された印刷フィルムを備え、印刷フィルムは太陽電池と面発光体との間に挟まれるように配設される。
【０００６】
このように、この光源一体型太陽電池モジュールは、両面を表示板として使用できるように構成されている。つまり、表面側には印刷フィルムの図柄を、太陽電池を透過させた状態で表示し、裏面側には印刷フィルムの図柄を表示する。
【０００７】
特許文献３は、外部電源による照明を有する内照式の看板装置の内部に太陽電池を設け、昼は太陽光によって太陽電池に発電させ、夜は照明光によって太陽電池に発電させる電飾看板システムを開示している。この電飾看板システムは、外部電源による照明光の一部を太陽電池によって電力として回収する。
【０００８】
特許文献４は、表札または看板であって、透明な硝子または樹脂板で構成されている太陽電池カバーの表面に、サンドブラスト法またはエッチング法等の一般的に知られたすりガラス加工により文字等を画き、適当な間隔を設けて太陽電池を配置する表札または看板を開示している。さらに太陽電池カバーの側面に発光体等を取り付け蓄電池と共に筺体内に設置する。筺体内に明るさセンサ６、及び明暗判別回路７を設置する。この表札または看板は、すりガラス加工された部分が白色に浮き出させるので、文字等の視認性を向上させている。
【０００９】
特許文献５は、多数の太陽電池モジュールを縦横方向に配列させてアレイ構成した太陽電池パネルにおいて、表面色が異なる太陽電池モジュールを組み合わせてパネル面に文字や図形等を表示する太陽電池パネルを開示している。この太陽電池パネルは、太陽電池モジュールの表面や裏面を任意の色に着色し、色の異なる太陽電池モジュールを組み合わせることにより所望の文字や図形等の模様を表出する。
【００１０】
特許文献６も特許文献５と同様の技術を開示している。
【００１１】
また、特許文献７（ソーラー充電式ＬＥＤ内照看板）、特許文献８（太陽光発電を利用した夜光性看板）、特許文献９（光学光源橙看板）、特許文献１０（立看板）、特許文献１１（内照式看板装置）、特許文献１２（ＬＥＤ３原色投射式看板）、特許文献１３（災害時避難方向誘導装置）はいずれも、文字や図柄等を表示する表示面とは別個のモジュールとして太陽電池パネルを設け、あるいは表示面の表示領域とは異なる領域に太陽電池パネルを設けることにより、太陽電池パネルへの入射光を極力遮らないようにし、発電効率を低下させないように構成している。
【先行技術文献】
【特許文献】
【００１２】
【特許文献１】登録実用新案第３１８３１０４号公報
【特許文献２】特開２００６−６６６１９号公報
【特許文献３】特開２０１２−１８３６７号公報
【特許文献４】特開２００５−９２１６７号公報
【特許文献５】特開平８−１０７２３０号公報
【特許文献６】特開２００１−２３７４４９号公報
【特許文献７】特開２０１０−２０１５２号公報
【特許文献８】特開２００６−１５４５６６号公報
【特許文献９】特開２００８−１５４３８号公報
【特許文献１０】特開平１１−３１５５１４号公報
【特許文献１１】登録実用新案第３１７１２１５号公報
【特許文献１２】登録実用新案第３１４７２５０号公報
【特許文献１３】登録実用新案第３１０３０１５号公報
【考案の概要】
【考案が解決しようとする課題】
【００１３】
しかしながら、太陽電池関連製品においてはソーラーパネルの黒色部分が製品外部に視認され、外観の見映えを劣化させ、ひいては都市景観を阻害している。東京オリンピックや観光立国の推進、戦略特区など外国人や外国企業の誘致を進める中で、都市景観に配慮した街づくりが重要視されている。
【００１４】
また、特許文献１では、太陽電池パネルの領域が文字や図柄等の表示面積を制限し、また、特許文献２では、印刷フィルムの透明部分では太陽電池の地の色（黒っぽい濃い色）が背景色を規定していまい、文字や図柄等の表示色の自由度ないし表現力を制限している。
【００１５】
本考案は、太陽電池パネルを視認させずに、太陽電池パネルによる表示面積の制限および表現力の制限を緩和する内照式のソーラーパネル装置を提供する。
【課題を解決するための手段】
【００１６】
上記課題を解決するために本考案に係るソーラーパネル装置は、太陽電池パネルにより発電した電力を蓄電池に蓄積し、前記蓄電池から電力を供給される光源を用いて本装置の内側から本装置の外部に発光する内照式のソーラーサインパネル装置であって、２つの主面を有し、一方の主面が前記太陽電池パネルの受光面に重ね合わせられ、前記光源からの光を、他方の主面に拡散および導光する拡散導光部材と、前記拡散導光部材に重ね合わせられ、透光性を有する透光性パネルとを備え、前記拡散導光部材および前記透光性パネルは、前記外部から前記太陽電池パネルに光を透過し、前記光源の光を前記外部に透過し、前記透光性パネルは、図柄、絵柄および文字の少なくとも１つを表示するための基材である。
【００１７】
この構成によれば、太陽電池パネルの受光面上には２枚の部材（拡散導光部材および透光性パネル）が重ね合わされるので、人に対して太陽電池パネルを視認させることを防止することができる。また、太陽電池パネルによって透光性パネルの表示面積を制限することを防止することができる。さらに、太陽電池パネルの上に上記の２枚の部材が重ね合わされることにより太陽電池パネルの地の色が直接表出されないので、透光性パネルにおける表現力の制限（背景色の制限）を緩和することができる。
【００１８】
ここで、前記拡散導光部材は、前記太陽電池パネルの前記受光面を覆い、前記透光性パネルは、前記拡散導光部材と同程度の大きさであってもよい。
【００１９】
この構成によれば、さらに、太陽電池パネルは、蓄電に要する電力量を確保できる限り、透光性パネルおよび拡散導光部材の大きさよりも小さくすることができる。
【００２０】
ここで、前記透光性パネルは、２つの主面を有し、一方の主面に入射される光を他方の主面に拡散する構成であってもよい。
【００２１】
この構成によれば、さらに、透光性パネルも拡散導光部材と同様に光を拡散するので、太陽電池パネルの地の色がより表出されにくくなり、透光性パネルにおける表現力の制限（背景色の制限）を解消することができる。
【００２２】
ここで、前記透光性パネルは、乳白色であってもよい。
【００２３】
この構成によれば、さらに、透光性パネルにおける表現力の制限（背景色の制限）を解消し、かつ、背景色を白系統の色にするのでサインパネルとしての表現の自由度を最大限に広げることができる。
【００２４】
ここで、前記透光性パネルの２つの主面のうち前記拡散導光部材に隣り合わない主面には、前記図柄、絵柄および文字の少なくとも１つを有する印刷シートが重ね合わされる構成であってもよい。
【００２５】
この構成によれば、さらに、サインパネルとしての表示を印刷シートの重ね合わせにより簡単に実現することができ、かつ印刷シートの交換だけで表示内容の変更を容易にすることができる。
【００２６】
ここで、前記透光性パネルは、透明であっても良い。
【００２７】
この構成によれば、さらに、透光性パネルが透明であることから、発電効率の低下を抑えることができる。さらに、背景色として黒色等の濃い色を基調するデザインに対応することができる。
【００２８】
ここで、前記透光性パネルの２つの主面のうち少なくとも一方の主面には、前記図柄、絵柄および文字の少なくとも１つを有する印刷シートが重ね合わされるようにしてもよい。
【００２９】
この構成によれば、さらに、透光性パネルの両面を表示面として利用することができる。また、印刷シートの交換だけで表示内容の変更を容易にすることができる。
【００３０】
ここで、前記透光性パネルの主面は、前記印刷シートを貼り替え可能であってもよい。
【００３１】
この構成によれば、印刷シートの貼り替えにより表示内容の変更を容易にすることができる。
【００３２】
ここで、前記透光性パネルの主面は、前記図柄、絵柄および文字の少なくとも１つを有していてもよい。
【００３３】
この構成によれば、透光性パネルの主面を表示面とすることができ、表示内容が固定的な場合に適している。
【００３４】
ここで、前記拡散導光部材は、前記拡散導光部材の側面から入射される前記光源からの光を、前記他方の主面に拡散および導光する。
【００３５】
この構成によれば、光源からの光を拡散導光部材の側面から入射することによって拡散導光部材に面発光させることができる。
【００３６】
ここで、前記太陽電池パネルは、隙間を置いて配置された複数の太陽電池モジュールを有し、前記拡散導光部材は、前記太陽電池パネルの背面から、かつ、前記複数の太陽電池モジュールの隙間から前記拡散導光部材に入射される前記光源からの光を、前記拡散導光部材の前記他方の主面に拡散および導光する構成であってもよい。
【００３７】
この構成によれば、光源からの光を拡散導光部材の背面側から入射することによって拡散導光部材を面発光させることができる。
【考案の効果】
【００３８】
太陽電池パネルを視認させずに、太陽電池パネルによる表示面積の制限および表現力の制限を緩和することができる。
【図面の簡単な説明】
【００３９】
【図１】図１は、実施の形態１におけるソーラーサインパネル装置の構成例を示す分解斜視図である。
【図２】図２は、実施の形態１におけるソーラーサインパネル装置の構成例を示す断面図である。
【図３Ａ】図３Ａは、実施の形態１における拡散導光部材および光源部の構成例を示す図である。
【図３Ｂ】図３Ｂは、太陽電池パネル、ＬＥＤ基板、蓄電池の仕様の一例を示す図である。
【図３Ｃ】図３Ｃは、太陽電池パネル、ＬＥＤ基板、蓄電池８００の仕様の他の一例を示す図である。
【図４】図４は、実施の形態１におけるソーラーサインパネル装置の表示面の位置を示す模式図である。
【図５Ａ】図５Ａは、実施の形態１におけるソーラーサインパネル装置の表示面の第１構成例を示す模式図である。
【図５Ｂ】図５Ｂは、実施の形態１におけるソーラーサインパネル装置の表示面の第２構成例を示す模式図である。
【図５Ｃ】図５Ｃは、実施の形態１におけるソーラーサインパネル装置の表示面の第３構成例を示す模式図である。
【図５Ｄ】図５Ｄは、実施の形態１におけるソーラーサインパネル装置の表示面の第４構成例を示す模式図である。
【図６Ａ】図６Ａは、実施の形態１における図５Ａに対応する表示例を示す模式図である。
【図６Ｂ】図６Ｂは、実施の形態１における図５Ｂに対応する表示例を示す模式図である。
【図６Ｃ】図６Ｃは、実施の形態１における図５Ｃに対応する表示例を示す模式図である。
【図６Ｄ】図６Ｄは、実施の形態１における図５Ｄに対応する表示例を示す模式図である。
【図７】図７は、実施の形態２におけるソーラーサインパネル装置の構成例を示す分解斜視図である。
【図８】図８は、実施の形態２におけるソーラーサインパネル装置の構成例を示す断面図である。
【図９】図９は、実施の形態３におけるソーラーサインパネルの表示面の位置を示す模式図である。
【図１０Ａ】図１０Ａは、実施の形態３におけるソーラーサインパネル装置の表示面の第１構成例を示す模式図である。
【図１０Ｂ】図１０Ｂは、実施の形態３におけるソーラーサインパネル装置の表示面の第３構成例を示す模式図である。
【図１０Ｃ】図１０Ｃは、実施の形態３におけるソーラーサインパネル装置の表示面の第５構成例を示す模式図である。
【図１０Ｄ】図１０Ｄは、実施の形態３におけるソーラーサインパネル装置の表示面の第７構成例を示す模式図である。
【図１１Ａ】図１１Ａは、実施の形態３におけるソーラーサインパネル装置の表示面の第２構成例を示す模式図である。
【図１１Ｂ】図１１Ｂは、実施の形態３におけるソーラーサインパネル装置の表示面の第４構成例を示す模式図である。
【図１１Ｃ】図１１Ｃは、実施の形態３におけるソーラーサインパネル装置の表示面の第６構成例を示す模式図である。
【図１１Ｄ】図１１Ｄは、実施の形態３におけるソーラーサインパネル装置の表示面の第８構成例を示す模式図である。
【図１２】図１２は、従来技術における誘導装置の構成を示す平面図である。
【図１３】図１３は、従来技術における誘導装置の構成を示す断面図である。
【考案を実施するための形態】
【００４０】
実施の形態では、太陽電池パネルにより発電した電力を蓄電池に蓄積し、蓄電池から電力を供給される光源を用いて本装置の内側から発光する内照式のソーラーサインパネル装置について説明する。
【００４１】
（概要）
まず、本考案の概要について説明する。
【００４２】
このソーラーサインパネル装置は、拡散導光部材と透光性パネルとを有している。拡散導光部材は、２つの主面を有し、一方の主面が太陽電池パネルの受光面に重ね合わせられ、光源からの光を他方の主面に拡散および導光する。透光性パネルは、拡散導光部材に重ね合わせられ、透光性を有している。拡散導光部材および前記透光性パネルは、外部から太陽電池パネルに光を透過し、かつ、光源の光を外部に透過する。また、透光性パネルは、図柄、絵柄および文字の少なくとも１つを表示するための基材である。
【００４３】
このように、実施の形態におけるソーラーサインパネル装置では、太陽電池パネルの受光面が外部に表出しないように、あえて、その上に少なくとも２枚の部材（拡散導光部材と透光性パネル）を重ね合わせている。
【００４４】
２枚の部材を太陽電池パネルの受光面状に重ねることによって、太陽電池パネルへの光透過率は当然劣化し、つまり太陽電池パネルの受光量が減少し、太陽電池パネルの発電量が減少することになる。しかしながら、サインパネルとしての視認性を格段に向上させている。つまり、太陽電池パネルの発電効率を最大化するのではなく、サインパネルとしての視認性が優先される。しかも、太陽電池パネルの発電効率は最優先されないがサインパネルの照明に必要なだけの発電量を得るように構成される。そのため、２枚の部材および表示内容（絵柄等）により決定される太陽電池パネルへの光透過率と、太陽電池パネルの発電量はバランスよく設定される。
【００４５】
この構成によれば、太陽電池パネルの受光面上には２枚の部材（拡散導光部材および透光性パネル）が重ね合わされるので、人に対して太陽電池パネルを視認させることを防止することができる。また、太陽電池パネルによって透光性パネルの表示面積を制限することを防止することができる。さらに、太陽電池パネルの上に上記の２枚の部材が重ね合わされることにより太陽電池パネルの地の色が直接表出されないので、透光性パネルにおける表現力の制限（背景色の制限）を緩和することができる。
【００４６】
以下、本考案の実施の形態におけるソーラーサインパネル装置について図面を用いてより具体的に説明する。
【００４７】
（実施の形態１）
図１は、実施の形態１におけるソーラーサインパネル装置の構成例を示す分解斜視図である。また、図２は、実施の形態１におけるソーラーサインパネル装置の構成例を示す断面図である。図２は、図１におけるｚ−ｘ平面またはｙ−ｚ平面と平行な面で切断した断面を示している。
【００４８】
図１および図２のように、ソーラーサインパネル装置１は、パネル部１０と回路部２０とを備える。パネル部１０は、太陽電池パネル１００と、拡散導光部材２００と、複数のＬＥＤ２３０を有するＬＥＤ基板２２０と、透光性パネル３００と、下部ハウジング５１０と、上部ハウジング５２０とを備える。回路部２０は、制御部７００と蓄電池８００とそれらを収納する筐体とを備える。
【００４９】
このソーラーサインパネル装置１は、太陽電池パネル１００により発電した電力を蓄電池８００に蓄積し、蓄電池８００から電力を供給される光源であるＬＥＤ基板２２０を用いて本装置の内側から発光する内照式のソーラーサインパネル装置である。
【００５０】
太陽電池パネル１００は、入射光を電力に変換する受光面を有する。太陽電池パネル１００は、複数の太陽電池モジュール１１０の配列であり、太陽電池モジュール１１０は複数のセルの配列である。太陽電池の種類には、単結晶シリコン系、多結晶シリコン系、アモルファスシリコン系、化合物系、有機系等がある。太陽電池パネル１００は、いずれの種類の太陽電池により構成してもよい。太陽電池パネル１００が満たすべき性能は、ソーラーサインパネル装置１の照明に必要な電力量を確保するように定められる。例えば、太陽電池パネル１００の受光面へのソーラーサインパネル装置１の光透過率の最小値を予め定めておき、この最小値の光透過率の下での太陽電池パネル１００が発電する電力量が、蓄電池８００による照明に要する電力量を超えるように、太陽電池パネル１００が満たすべき性能が設定される。この性能を満たすように、実際の太陽電池モジュール１１０の種類、枚数等が定められる。
【００５１】
拡散導光部材２００は、２つの主面を有する。図１では、２つの主面のうち、ｚ軸の＋側を表面、−側を裏面とする（太陽電池パネル１００、透光性パネル３００においてもｚ軸の＋側をその表面、−側をその裏面とする）。この拡散導光部材２００は、一方の主面（裏面）が太陽電池パネル１００の受光面に重ね合わせられ、光源（ＬＥＤ基板２２０）からの光を他方の主面（表面）に拡散および導光する。図１のように光源からの光が拡散導光部材２００の側面から入射される場合、例えば、拡散導光部材２００は、アクリル、ポリエステル、ガラスなどを素材とするパネルであって、輝点となる複数のドットからなるドットパターンが表面に形成された無色透明のパネルでよい。各ドットは、エッチング加工等により表面に微細なギザギザになるように形成される。これにより、拡散導光部材２００は、側面から入射されるＬＥＤ基板２２０の光を拡散および導光し、表面側に光る面発光体として機能する。
【００５２】
ＬＥＤ基板２２０は、ソーラーサインパネル装置１を装置内から発光させるための光源であり、複数のＬＥＤ２３０を備えている。図１の構成例では、拡散導光部材２００の４側面に４枚のＬＥＤ基板２２０が取り付けられる。なお、図１のような側面入射の場合、拡散導光部材２００のサイズ（面積）等に応じて少なくとも１側面から入射すればよい。なお、光源としてＬＥＤ基板２２０を説明したが、ＬＥＤの代わりに、冷陰極線管、ＥＬ発光素子等を用いてもよい。また、拡散導光部材２００およびＬＥＤ基板２２０の代わりに光透過性を有する面発光体であるＥＬパネルを用いてもよい。
【００５３】
透光性パネル３００は、拡散導光部材２００に重ね合わせられ、透光性を有し、図柄、絵柄および文字の少なくとも１つを表示するための基材である。具体的には、透光性パネル３００は、アクリル、ポリエステル、ガラスなどを素材とするパネルであって、２つの主面を有し、一方の主面に入射される光を他方の主面に拡散する。この拡散は、拡散導光部材２００による面発光をさらに均一化し一様にする。例えば、透光性パネル３００は、乳白色のアクリル板である。この乳白色は表示における背景色を規定し、白色はサインパネルとして最も汎用的な背景色であり、サインパネルとしての表示に高い自由度を提供し、表現を制限しない。この観点から、乳白色は純白に限らず着色されていてもよい。なお、デザイン上多少濃い背景色を用いる場合には、無色透明の透光性パネル３００を用いることにより太陽電池パネル１００の地の色を活用することもできる。この場合、無色透明の透光性パネル３００であってもよく、拡散導光部材２００が介在するので太陽電池パネル１００の表面がそのまま表出されるわけではなく、地の色が薄っすらとぼやけて表出させることもでき、これを背景色として利用できる。
【００５４】
乳白色のアクリル板により透光性パネル３００を構成することにより、拡散導光部材２００による面発光をより均等で一様にすることができ、また、裏面側の太陽電池パネル１００の地の色が表面側に表出するのをより完全に防止することができる。
【００５５】
また、図柄、絵柄および文字の少なくとも１つにより構成されるサインパネルとしての表示内容は、透光性パネル３００に直接あるいは間接に描画あるいは印刷される。具体的には、透光性パネル３００における表示は、次の態様を含む。（Ａ）透光性パネル３００の表面に表示内容が描画（描き込み、印刷、彫り込み）される。（Ｂ）表示内容が描画された印刷シートが表面に重ね合わせられる、（Ｃ）印刷シートをさらに薄膜化した印刷フィルムまたは印刷シールが表面に貼り付けられる。（Ｄ）（Ａ）〜（Ｃ）のうちの２つ以上の組み合わせ。これらの態様において表示内容の変更は（Ｄ）〜（Ａ）の順に容易になる。
【００５６】
制御部７００は、太陽電池パネル１００から蓄電池８００への充電と、蓄電池８００から光源であるＬＥＤ基板２２０への放電とを切り替える制御を行う。例えば、制御部７００は、太陽電池パネル１００の光電変換により生成された起電力つまり電圧が第１のしきい値以上である場合には太陽電池パネル１００により生成される電力を蓄電池８００に充電するように制御し、上記の起電力が第１のしきい値より小さい場合には蓄電池８００からＬＥＤ基板２２０に電力を供給するように制御する。
【００５７】
蓄電池８００は、太陽電池パネル１００で変換された電力を蓄積する。例えば、蓄電池８００はニッケル水素電池、リチウムイオン電池などの二次電池である。また、蓄電池８００は、二次電池を着脱可能な電池ソケットと、二次電池とを有していてもよい。
【００５８】
ここで、蓄電池８００の容量と、太陽電池パネル１００の性能と、光透過率との関係について説明する。
【００５９】
蓄電池８００の容量（蓄電池８００の蓄電可能な電力量）Ｐｂと、太陽電池パネル１００の発電電力量Ｐｓと、照明に要する電力量(光源の消費電力量)Ｐｌとは、おおよそ次の関係を満たせばよい。すなわち、容量Ｐｂ＞消費電力量Ｐｌ、発電電力量Ｐｓ＞消費電力量Ｐｌを満たせばよい。ここで、容量Ｐｂ、発電電力量Ｐｓ、消費電力量Ｐｌの単位はいずれもＷｈ（ワット時）とする。
【００６０】
蓄電池８００の容量Ｐｂは、充電および放電に伴う（内部および外部）損失および経時的劣化等を考慮した十分なマージンを設けることが望ましい。
【００６１】
発電電力量Ｐｓは、拡散導光部材２００、透光性パネル３００および表示内容による光透過率（最小値）の場合の発電電力量である。例えば、光透過率をｋ（０以上１以下）、光透過率１００％での発電電力量Ｐｍａｘとすると、発電電力量Ｐｓ＝（ｋ×発電電力量Ｐｍａｘ）と近似できる。太陽電池パネル１００の受光量は、屋外、屋内等の環境に左右されるので、環境毎にＰｍａｘを定めても良いし、いかなる環境にも対応できるようにＰｍａｘを定めてもよい。
【００６２】
光源の消費電力量Ｐｌについては、ソーラーサインパネル装置１のサイズ（面積）、照明の明るさ、発光素子の個数および種類、照明時間等に依存する。
【００６３】
これらの前提の下で、設計段階では、まず、光源の消費電力量Ｐｌはパネルサイズ、明るさ、照明時間等に応じて定まるので、以降は固定値と扱う。次に、発電電力量Ｐｓ＝（ｋ×発電電力量Ｐｍａｘ）＞消費電力量Ｐｌ（固定値）を満たすように太陽電池パネル１００の発電電力量Ｐｍａｘを設計すればよい。また、蓄電池８００の容量Ｐｂ＞消費電力量Ｐｌ（固定値）となるように容量Ｐｂの蓄電池８００を設計すればよい。
【００６４】
次に、拡散導光部材２００およびＬＥＤ基板２２０の一例について説明する。
【００６５】
図３Ａは、実施の形態１における拡散導光部材および光源部の構成例を示す図である。同図の上段は、透光性パネル３００およびＬＥＤ基板２２０の平面図である。この構成例は、拡散導光部材２００の４側面に４つのＬＥＤ基板２２０が配置され、４側面から光を入射している。同図下段は、拡散導光部材２００の中央付近（破線部分）の表面拡大図である。この拡散導光部材２００は、無色透明のアクリル板の表面に輝点となる複数の矩形状のドットからなるドットパターンが形成されている。各ドットは、エッチング加工等により表面に微細なギザギザになるように形成される。このドットパターンは、光源のＬＥＤ２３０から離れるほど大きい面積を持つ多数のドットからなり、拡散導光部材２００の側面から入射される光の表面に拡散および導光する。つまり、各ドットは面発光の輝点となる。
【００６６】
なお、ドットパターンはエッチング加工の代わりにシルク印刷によって表面に白のドットが形成されてもよい。エッチング加工は、シルク印刷と比べて拡散導光部材２００の表面から裏面への光透過率が高い点で優れている。
【００６７】
なお、図３Ａにおいて、ドットの形状は矩形に限らず、例えば円形状であってもよい。また、ドットパターンの代わりに格子状あるいはライン状のパターンであってもよい。この場合、格子の幅およびラインの幅は、光源のＬＥＤ２３０から離れるほど大きくなる。これにより面発光を一様に均一化している。
【００６８】
なお、図３Ａにおいて、光源は、ＬＥＤ基板２２０を１枚備え１側面のみから入射してもよいし、２枚備え２側面から入射してもよいし、３枚備え３側面から入射してもよい。
【００６９】
また、ＬＥＤ基板２２０の枚数は、拡散導光部材２００のサイズ（面積）、面発光の明るさ、ＬＥＤ２３０の個数等に応じて定めればよい。
【００７０】
（仕様例）
次に、太陽電池パネル１００、ＬＥＤ基板２２０、蓄電池８００の仕様の具体例について説明する。
【００７１】
図３Ｂは、太陽電池パネル１００、ＬＥＤ基板２２０、蓄電池８００の仕様の一例を示す図である。同図では、太陽電池パネル１００については、遮光されていない状態、つまり光透過率が１００％の状態での仕様として、太陽電池パネル１００のサイズ、起電力である電圧、発生可能な電流を記載している。また、ＬＥＤ基板２２０については並列接続の個数、印加電圧、ＬＥＤ１個あたりの消費電流を記載している。蓄電池８００については、並列接続の電池個数、供給電流、供給電圧を記載している。
【００７２】
この例では、太陽電池パネル１００に対する光透過率が５０％のとき、１時間あたりの発電量は、２６００ｍＡ×０．５＝１３００ｍＡとなる。この状態で、蓄電池８００を１時間充電した場合に、蓄電池８００には１３００ｍＡｈの電力量が充電されるものとする。そうすると、この電力量によるＬＥＤ基板２２０の発光時間は、１３００ｍＡｈ／（８ｍＡ×８）＝２０．３ｈとなる。つまり、光透過率５０％で１時間発電すれば、約２０時間発光可能になる。
【００７３】
また、この例で、太陽電池パネル１００に対する光透過率が３０％のとき、１時間あたりの発電量は、２６００ｍＡ×０．３＝７８０ｍＡとなる。この状態で、蓄電池８００を１時間充電した場合に、蓄電池８００には７８０ｍＡｈの電力量が充電されるものとする。そうすると、この電力量によるＬＥＤ基板２２０の発光時間は、７８０ｍＡｈ／（８ｍＡ×８）＝１２．２ｈとなる。つまり、光透過率３０％で１時間発電すれば、約１２時間発光可能になる。
【００７４】
図３Ｃは、太陽電池パネル１００、ＬＥＤ基板２２０、蓄電池８００の仕様の他の一例を示す図である。同図では、図３Ｂと比べて、太陽電池パネル１００が小型で発電能力が小さい点と、ＬＥＤ個数が少ない点と、電池個数が少ない点で異なっている。
【００７５】
この例では、太陽電池パネル１００に対する光透過率が５０％のとき、１時間あたりの発電量は、６００ｍＡ×０．５＝３００ｍＡとなる。この状態で、蓄電池８００を１時間充電した場合に、蓄電池８００には３００ｍＡｈの電力量が充電されるものとする。そうすると、この電力量によるＬＥＤ基板２２０の発光時間は、３００ｍＡｈ／（８ｍＡ×４）＝９．４ｈとなる。つまり、光透過率５０％で１時間発電すれば、約９時間発光可能になる。
【００７６】
また、この例で、太陽電池パネル１００に対する光透過率が３０％のとき、１時間あたりの発電量は、６００ｍＡ×０．３＝１８０ｍＡとなる。この状態で、蓄電池８００を１時間充電した場合に、蓄電池８００には１８０ｍＡｈの電力量が充電されるものとする。そうすると、この電力量によるＬＥＤ基板２２０の発光時間は、１８０ｍＡｈ／（８ｍＡ×８）＝５．６ｈとなる。つまり、光透過率３０％で１時間発電すれば、約５．６時間発光可能になる。
【００７７】
近年の太陽電池パネルの技術開発による効率向上に伴って、図３Ｂ、図３Ｃに示したように、光透過率が小さく、わずか時間の充電であっても、上記の照明時間を確保することができる。つまり、ソーラーサインパネル装置１は、光透過率が小さい場合であってもサインパネルとして十分に実用的な構成である。
【００７８】
（表示面の位置）
次に、ソーラーサインパネル装置１の表示面の位置について説明する。
【００７９】
図４は、実施の形態１におけるソーラーサインパネル装置の表示面の位置を示す模式図である。同図は、太陽電池パネル１００の受光面を覆うように拡散導光部材２００が、拡散導光部材２００の表面を覆うように透光性パネル３００が重ね合わされている。透光性パネル３００の表面は、サインパネルとしての図柄、文字、絵柄等の表示面として使用される。太陽電池パネル１００の地の色は、拡散導光部材２００および透光性パネル３００により表示面から視認されない。また、表示面の背景色は透光性パネル３００の色となる。
【００８０】
ソーラーサインパネル装置１による表示には、既に説明したように（Ａ）〜（Ｄ）の態様がある。（Ａ）透光性パネル３００の表面に表示内容が描画（描き込み、印刷、彫り込み）される。（Ｂ）表示内容が描画された印刷シートが表面に重ね合わせられる、（Ｃ）印刷シートを薄膜化した印刷フィルムまたは印刷シールが表面に貼り付けられる。（Ｄ）（Ａ）〜（Ｃ）のうちの２つ以上の組み合わせ。
【００８１】
次に、（Ａ）〜（Ｄ）の具体例として第１〜第４構成例について説明する。
【００８２】
（第１構成例）
図５Ａは、実施の形態１におけるソーラーサインパネル装置の表示面の第１構成例を示す模式図である。また、図６Ａは、実施の形態１における図５Ａに対応する表示例を示す模式図である。第１構成例は、上記（Ａ）に対応している。この第１構成例では、透光性パネル３００に表面に表示内容が直接描画されている、つまり描き込み、印刷、彫り込み等がなされている。
【００８３】
（第２構成例）
図５Ｂは、実施の形態１におけるソーラーサインパネル装置の表示面の第２構成例を示す模式図である。図６Ｂは、実施の形態１における図５Ｂに対応する表示例を示す模式図である。第２構成例は、上記（Ｂ）に対応している。この第２構成例では、表示内容が描画された印刷シート３２０が透光性パネル３００の表面に重ね合わせられる。印刷シート３２０の表面には、表示内容が直接描画されている。印刷シート３２０の材質は、例えば、アクリル、塩化ビニル、ポリカーボネート、ＰＥＴ（ポリエチレンテレフタレート）、等でよい。印刷シート３２０は、無色透明、有色透明または半透明であり、印刷等の方法により表示内容が直接描画されている。図６Ｂでは、透光性パネル３００と同サイズの印刷シート３２０を重ね合わせているが、貼り付けてもよい。また、貼り付ける場合は、印刷シート３２０は、透光性パネル３００よりも小さいサイズでもよい。また、複数の印刷シート３２０を重ね合わせまたは貼り付けてもよい。
【００８４】
（第３構成例）
図５Ｃは、実施の形態１におけるソーラーサインパネル装置の表示面の第３構成例を示す模式図である。図６Ｃは、実施の形態１における図５Ｃに対応する表示例を示す模式図である。第３構成例は、上記（Ｃ）に対応している。この第３構成例では、表示内容が描画された印刷シール３１０が透光性パネル３００の表面に貼り合わされている。印刷シール３１０は、印刷シートを薄膜化したフィルム状の印刷フィルムであり、接着剤が塗布されて貼り付け可能になっている。印刷シール３１０の材質は、印刷シート３２０と同様でよく、地の色が無色透明、有色透明または半透明であり、印刷等の方法により表示内容が直接描画されている。図６Ｃでは、透光性パネル３００の表面に、透光性パネル３００と同サイズの印刷シール３１０を貼り付けているが、透光性パネル３００よりも小さいサイズでもよい。また、複数の印刷シール３１０を貼り付けてもよい。なお、印刷シール３１０の代わりに、印刷フィルムを接着剤により透光性パネル３００に貼り付けてもよい。本明細書では、印刷シート３２０は、印刷フィルムおよび印刷シート３１０を含む広い意味である。印刷シート３２０のうち、特に、薄膜化され、かつ可撓性に富む印刷シートを印刷フィルムと呼び、印刷フィルムに接着剤が塗布された印刷シートを印刷シール３１０と呼ぶ。
【００８５】
（第４構成例）
図５Ｄは、実施の形態１におけるソーラーサインパネル装置の表示面の第４構成例を示す模式図である。図６Ｄは、実施の形態１における図５Ｄに対応する表示例を示す模式図である。第４構成例は、上記（Ｄ）に対応している。この第４構成例では、透光性パネル３００よりも小さいサイズの印刷シート３２０（「Ｃａｆｅ  Ｂａｒ」「７：３０  ｔｏ  ２３：００」「○△□コーヒー」の文字付き）が透光性パネル３００の表面下部の領域に重ね合わせられ、同じく小さいサイズの印刷シール３１０（上側の３つのコーヒーカップの絵付き）が透光性パネル３００の表面上部の領域に貼り付けられ、さらに、印刷シート３２０の表面に他の印刷シール３１０（下側の３つのコーヒーカップの絵付き）が貼り付けられている。また、図６Ｄの例では、透光性パネル３００の表面には直接何も描画されていないが、必要に応じて直接描画することもできる。
【００８６】
例えば、表示内容を部分的に、「固定的」、「半固定的」、「変更予定」等に分類し、分類した表示内容の部分を（Ａ）〜（Ｃ）に割り当てて（Ｄ）により表示することにより、表示内容の変更を容易にすることができる。
【００８７】
以上説明してきたように、本実施の形態におけるソーラーサインパネル装置１は、太陽電池パネル１００の受光面の上に、表示内容を伴う２枚のパネル（拡散導光部材２００、透光性パネル３００）を重ね合わせている。見る人に対して太陽電池パネル１００そのものを視認させることを防止することができる。また、太陽電池パネル１００によって透光性パネル３００の表示面積を制限することを防止することができる。さらに、太陽電池パネル１００の上に上記２枚の部材が重ね合わされることにより太陽電池パネルの地の色が直接表出されないので、透光性パネルにおける表現力の制限（背景色の制限）を緩和することができる。また、透光性パネル３００を乳白色または他の色とすれば背景色を規定することができる。
【００８８】
（実施の形態２）
実施の形態１では拡散導光部材の側面に光源からの光を入射する構成について説明したが、本実施の形態では、拡散導光部材の裏面（背面）から光源の光を入射する構成について説明する。
【００８９】
図７は、実施の形態２におけるソーラーサインパネル装置の構成例を示す分解斜視図である。また、図８は、実施の形態２におけるソーラーサインパネル装置の構成例を示す断面図である。図７および図８のソーラーサインパネル装置１は、図１および図２の構成例と比べて、太陽電池パネル１００および拡散導光部材２００の代わりに太陽電池パネル１０１および拡散導光部材２０１を備える点と、光源の構成が４枚のＬＥＤ基板２２０から３枚になっている点とが主として異なっている。また、図８ではＬＥＤ基板２２０を支持するスペーサ２４０が追加されている点も異なっている。
【００９０】
以下、異なる点を中心に説明する。
【００９１】
太陽電池パネル１０１は、複数の太陽電池モジュール１１０の配列において隙間１２０を設けるように構成されている。隙間１２０は、隙間１２０を挟む太陽電池モジュール１１０を支持する無色透明な支持部材の一部分が、隙間の一部または全部に嵌め込まれていてもよい。また、隙間１２０の大部分が空隙であってもよい。
【００９２】
拡散導光部材２０１は、厚みのあるパネルではなく、裏面からの光を表面に拡散する拡散シートである。拡散シートは、光を拡散する細かいギザギザが表面に形成され、あるいは、光を拡散する樹脂が表面にコーティングされている。拡散シートを通過した光は拡散され、これにより拡散シートはより均一に面発光する面光源になる。
【００９３】
光源としてのＬＥＤ基板２２０は、太陽電池パネル１０１の裏面から隙間１２０に光を入射するように配置される。この場合、スペーサ２４０のような支持部材によりＬＥＤ基板２２０が支持される。なお、隙間１２０の幅が、ＬＥＤ基板２２０の幅よりも大きい場合は、太陽電池パネル１０１の裏面からあるいは表面からＬＥＤ基板２２０が隙間１２０に嵌め込まれた構成としてもよい。この場合、スペーサ２４０は不要である。
【００９４】
以上のように構成さえた本実施の形態におけるソーラーサインパネル装置１は、実施の形態１と同じ効果を奏することに加えて、拡散シートである拡散導光部材２０１は実施の形態１における拡散導光部材２００よりも薄いのでパネル全体の薄型化を図ることができる。
【００９５】
さらに、ＬＥＤ基板２２０は拡散導光部材２０１の背面から光を入射するので、実施の形態１のように拡散導光部材２００の側面から光を入射する場合と比べて、大型化することが容易になる。すなわち、背面から光を入射するので、光源を自由に配置でき、透光性パネルが均一に発光するようにできる。その結果、側面からの光入射では均一は面発光が難しい大きなサイズであっても、背面からの光入射であれば容易に面発光の均一化を図ることができる。
【００９６】
また、隙間１２０の配置位置つまりＬＥＤ基板２２０の配置位置は、太陽電池モジュール１１０の配置位置によって定まり、高い自由度で設計できるので、拡散シートである拡散導光部材２０１の面発光の均一化をより容易にすることができる。
【００９７】
（実施の形態３）
実施の形態１および２では、ソーラーサインパネル装置１が、光拡散性を有する（例えば乳白色）透光性パネルを備える構成例について主に説明したが、本実施の形態では、透明な透光性パネルを備える構成例について説明する。
【００９８】
本実施の形態におけるソーラーサインパネル装置１は、実施の形態１における図１、図２、または、実施の形態２における図７、図８とほぼ同じであるが、透光性パネル３００が透明である点が特徴的である。
【００９９】
以下、特徴的な点を中心に説明する。
【０１００】
透光性パネル３００は、光拡散性を有しない透明なパネルであり、無色透明であっても有色透明であってもよい。
【０１０１】
透光性パネル３００が無色透明である場合、拡散導光部材２００が介在するので太陽電池パネル１００の表面がそのまま表出されるわけではなく、地の色が薄っすらとぼやけて表出され、背景色として利用できる点については、既に説明した。本実施の形態ではさらに、ソーラーサインパネル装置１における表示面の位置が多様である点について説明する。
【０１０２】
図９は、実施の形態３におけるソーラーサインパネルの表示面の位置を示す模式図である。同図は、太陽電池パネル１００（または１０１）の受光面に拡散導光部材２００（または２０１）が、拡散導光部材２００の表面に透光性パネル３００が重ね合わされている。透光性パネル３００の表面および裏面のうち少なくとも一方を表示面とすることができる。つまり、透光性パネル３００の表面も裏面も表示面とすることができる。なお、同図中および本明細書中の１００（１０１）、２００（２０１）の表記については、実施の形態１における透光性パネル３００が透明パネルである場合は、ソーラーサインパネル装置１は図中の透光性パネル３００、拡散導光部材２００、太陽電池パネル１００の組み合わせを備える。また、実施の形態２における透光性パネル３００が透明パネルである場合は、ソーラーサインパネル装置１は図中の透光性パネル３００、拡散導光部材２０１、太陽電池パネル１０１の組み合わせを備える。図９以降の図面についても同様である。
【０１０３】
透光性パネル３００が乳白色のような光拡散性を有する場合には、実施の形態１で説明したように（Ａ）〜（Ｄ）の表示態様がある。これに対して本実施の形態におけるソーラーサインパネル装置１では、（Ａ）〜（Ｄ）に加えて次の表示態様がある。（Ａ０）透光性パネル３００の裏面に表示内容が描画（描き込み、印刷、彫り込み）される。（Ｂ０）表示内容が描画された印刷シートが裏面に重ね合わされる、（Ｃ０）印刷シートを薄膜化した印刷フィルム（または印刷シール）を裏面に貼り付ける。（Ｄ０）（Ａ）〜（Ｃ）および（Ａ０）〜（Ｃ０）のうちの２つ以上の組み合わせ。
【０１０４】
次に、これらの表示態様（Ａ）〜（Ｄ）、（Ａ０）〜（Ｄ０）の具体的として第１〜第８構成例について図１０Ａ〜図１０Ｄ、図１１Ａ〜図１１Ｄを用いて説明する。
【０１０５】
（第１構成例）
図１０Ａは、実施の形態３におけるソーラーサインパネル装置の表示面の第１構成例を示す模式図である。第１構成例は、（Ａ）に対応している。この第１構成例では、透光性パネル３００に表面に表示内容が直接描画されている、つまり描き込み、印刷、彫り込み等がなされている。
【０１０６】
（第２構成例）
図１１Ａは、実施の形態３におけるソーラーサインパネル装置の表示面の第２構成例を示す模式図である。第２構成例は、（Ａ０）に対応している。この第２構成例では、透光性パネル３００に裏面に表示内容が直接描画されている。なお、図１１Ａにおいて、透光性パネル３００の裏面だけでなく表面にも直接描画されていてもよい。つまり、（Ａ）と（Ａ０）を組み合わせてもよい。こうすれば透光性パネル３００の両面を用いて効果的な表示内容をデザインすることができる。
【０１０７】
（第３構成例）
図１０Ｂは、実施の形態３におけるソーラーサインパネル装置の表示面の第３構成例を示す模式図である。第３構成例は、（Ｂ）に対応する。この第３構成例では表示内容が描画された印刷シート３２０が透光性パネル３００の表面に重ね合わせられる。
【０１０８】
（第４構成例）
図１１Ｂは、実施の形態３におけるソーラーサインパネル装置の表示面の第４構成例を示す模式図である。第４構成例は、（Ｂ０）に対応する。この第４構成例では、表示内容が描画された印刷シート３２０が透光性パネル３００の裏面に重ね合わせられる。なお、透光性パネル３００の表面にも他の印刷シート３２０が重ね合わせられてもよい。こうすれば透光性パネル３００の両面を用いて効果的な表示内容をデザインすることができる。
【０１０９】
（第５構成例）
図１０Ｃは、実施の形態３におけるソーラーサインパネル装置の表示面の第５構成例を示す模式図である。第５構成例は、（Ｃ）に対応する。この第５構成例では表示内容が描画された印刷シール３１０が透光性パネル３００の表面に重ね合わせられる。
【０１１０】
（第６構成例）
図１１Ｃは、実施の形態３におけるソーラーサインパネル装置の表示面の第６構成例を示す模式図である。第６構成例は、（Ｃ０）に対応する。この第６構成例では、表示内容が描画された印刷シール３１０が透光性パネル３００の裏面に重ね合わせられる。なお、透光性パネル３００の表面にも他の印刷シール３１０が重ね合わせられてもよい。こうすれば透光性パネル３００の両面を用いて効果的な表示内容をデザインすることができる。
【０１１１】
（第７構成例）
図１０Ｄは、実施の形態３におけるソーラーサインパネル装置の表示面の第７構成例を示す模式図である。第７構成例は、（Ｄ）に対応する。この第７構成例では、透明な透光性パネル３００の表面は、直接描画された領域と、印刷シート３２０が重ね合わせられた領域と、印刷シール３１０が貼り付けられた領域を有する。つまり、（Ａ）〜（Ｃ）の組み合わせによって１つの表示内容がデザインされている。
【０１１２】
（第８構成例）
図１１Ｄは、実施の形態３におけるソーラーサインパネル装置の表示面の第８構成例を示す模式図である。第８構成例は、（Ｄ０）に対応する。この第８構成例では、透明な透光性パネル３００の裏面は、直接描画された領域と、印刷シート３２０が重ね合わせられた領域と、印刷シール３１０が貼り付けられた領域を有する。つまり、（Ａ０）〜（Ｃ０）の組み合わせによって、透明な透光性パネル３００の裏面に表示内容がデザインされている。なお、（Ｄ０）と（Ｄ）とを組み合わせてもよい。また、透明な透光性パネル３００の表面と裏面のうち少なくとも一方を表示面とし、（Ａ）〜（Ｄ）、（Ａ０）〜（Ｄ０）のうち２つ以上を組み合わせて表示内容をデザインしてもよい。
【０１１３】
以上説明してきたように本実施の形態におけるソーラーサインパネル装置１は、透光性パネル３００が透明パネルであることにより、透光性パネル３００の両面を表示面として利用可能である。これによりサインパネルとしてのデザインの自由度が増し、また、表示内容をより豊かに表現することができる。
【０１１４】
以上、ソーラーサインパネル装置について各実施の形態に基づいて説明したが、ソーラーサインパネル装置は各実施の形態で説明した構成例に限らない。以下、変形例について説明する。
【０１１５】
（１）制御部７００の制御の下で、太陽電池パネル１００（１０１）の起電力が第１のしきい値より以上の場合に蓄電池８００に充電し、起電力が第１のしきい値より小さい場合にＬＥＤ基板２２０に電力を供給する例について説明した。第１のしきい値の代わりに、あるいは、第１のしきい値と併用して、照明の開始時刻、照明の終了時刻、照明開始から終了までの時間、充電の開始時刻、充電の終了時刻、充電の開始から終了までの時間の少なくとも１つを予め定めておき、蓄電池８００の充電とＬＥＤ基板２２０の発光とを切り替えるようにしてもよい。こうすれば、照明時間／時刻を制御することができ、例えば、夜間の列車の発着時刻の前後３０分間の照明、劇場の入退場時刻の前後１時間の照明等が可能になり、蓄電池８００の容量を過度に確保しなくてよい。
【０１１６】
（２）蓄電池８００が過充電であることを示す第２のしきい値、蓄電池８００が空であることを示す第３のしきい値に定めておき、蓄電池８００の電圧が第２のしきい値以上の場合に蓄電池８００への充電を停止または禁止し、蓄電池８００の電圧が第３のしきい値以下である場合にＬＥＤ基板２２０への電力供給を停止または禁止するようにしてもよい。
【０１１７】
（３）制御部７００は、マイクロコンピュータを中心とする回路により構成してもよいし、マイクロコンピュータを有しない回路により構成してもよい。
【０１１８】
なお、蓄電池８００の種類は、ニッケル水素電池、リチウムイオン電池以外の二次電池でも、例えば、鉛蓄電池、リチウムイオンポリマー二次電池、ニッケルカドミウム蓄電池、ニッケル鉄蓄電池、ニッケル亜鉛蓄電池、酸化銀亜鉛蓄電池でもよいし、フライホイールバッテリ、大容量のキャパシタでもよい。いずれの二次電池であっても上述した容量Ｐｂ＞消費電力量Ｐｌを満たす容量Ｐｂを持つように設計することが望ましい。
【０１１９】
（４）ＬＥＤ基板２２０が白色のＬＥＤ２３０を備え、一斉に点灯する例を説明したが、制御部７００は、個々のＬＥＤ２３０を個別に点灯および消灯の制御を行い、点灯および消灯の順序および点灯時間等を予めプログラムしておき、プログラムに従って照明するようにしてもよい。こうすれば、照明の変化、ゆらぎを与えることができ、表示を際立たせることができる。
【０１２０】
（５）ＬＥＤ２３０は白色に限らず、赤色、緑色、青色のＬＥＤを備え、個別に点灯および消灯の制御を行い、点灯および消灯の順序および点灯時間等を予めプログラムしておき、プログラムに従って照明するようにしてもよい。これにより、多彩なイルミネーション効果を与えることができ、表示を際立たせることができる。例えば、イルミネーション効果として、明るさを変化させるだけでなく、赤青緑を任意の割合で合成することで様々な色を表現でき、さらに、割り合いを動的に変化させることもできる。
【０１２１】
（６）パネル部１０の最表面に保護カバー、保護パネル、保護シート、保護フィルム等を設けてもよい。
【０１２２】
（７）回路部２０の位置は、図２の構成例に示した位置に限らず、パネル部１０の背面の任意の位置に備えてもよいし、パネル部１０の側面の任意の位置に備えてもよい。
【０１２３】
（８）制御部７００は、蓄電池８００への充電と、ＬＥＤ基板２２０の発光とを切り替える制御をする例について説明したが、充電と発光とを同時に行うように制御してもよい。例えば、ソーラーサインパネル装置１が複数の蓄電池８００を備える構成とし、制御部７００は、蓄電池８００に１つに対して充電し、同時に、蓄電池８００の他の１つからＬＥＤ基板２２０に電力を供給するように制御する。さらに、制御部７００は、充電の対象となる蓄電池８００および電力供給用の蓄電池８００を切り替える制御を行う。こうすれば、常に明るい室内環境でソーラーサインパネル装置１を設置する場合に、常時照明することを可能にする。
【０１２４】
（９）下部ハウジング５１０および上部ハウジング５２０は、一体の枠体として形成し、枠体の側面の１つが開放可能で、かつ、太陽電池パネル１００、拡散導光部材２００、透光性パネル３００を開放側面からスライド挿入可能な構成としてもよい。
【０１２５】
（１０）ソーラーサインパネル装置１の表面を保護するために、保護カバー、保護パネル、保護シート、保護フィルム等を備えてもよい。
【０１２６】
（１１）図７および図８の構成において太陽電池パネル１０１と拡散導光部材２０１とが接しないように隙間をあけてもよい。隙間をあけることによって、ＬＥＤ２３０と拡散導光部材２０１とに隙間の分だけ距離が増える。透光性パネル３０１が透明パネルである場合には距離が増えれば、距離が小さいときよりも、ＬＥＤ２３０の輝点としての見かけをぼやけさせ、拡散性を向上させることができる。隙間をあけるために、例えば、下部ハウジング５１０の内側に、太陽電池パネル１０１用の溝、拡散導光部材２０１用の溝を設けてもよい。また、太陽電池パネル１０１、拡散導光部材２０１の間にスペーサを介在させてもよい。また、図１および図２の構成にもいても上記と同様に、太陽電池パネル１００と拡散導光部材２００が接しないように隙間をあけてもよい。
【０１２７】
（１２）図７および図８の構成において、太陽電池パネル１０１に隙間１２０を設けないで、ＬＥＤ２３０を太陽電池パネル１０１と拡散導光部材２０１の間に備える構成としてもよい。この場合も太陽電池パネル１０１と拡散導光部材２０１とが接しないように隙間をあけて、拡散導光部材２０１とＬＥＤ基板２２０が直接接触しないようにしてもよい。
【０１２８】
（１３）図７および図８の構成において、透光性パネル３００が透明パネルではなく光拡散性を有するパネル（例えば乳白色のパネル）である場合には、拡散導光部材２０１を備えない構成としてもよい。というのは、透光性パネル３００自身が拡散および導光する機能を有しているからである。
【産業上の利用可能性】
【０１２９】
本考案に係るソーラーサインパネル装置は、広告板、案内表示板、看板等を含むサインパネルに適している。
【符号の説明】
【０１３０】
１  ソーラーサインパネル装置
１０  パネル部
２０  回路部
１００、１０１  太陽電池パネル
１１０  太陽電池モジュール
１２０  隙間
２００、２０１  拡散導光部材
２２０  ＬＥＤ基板
２３０  ＬＥＤ
２４０  スペーサ
３００  透光性パネル
３１０  印刷シール
３２０  印刷シート
５１０  下部ハウジング
５２０  上部ハウジング
７００  制御部
８００  蓄電池
【図１】
0003189696.tif 000003
【図２】
0003189696.tif 000004
【図３Ａ】
0003189696.tif 000005
【図３Ｂ】
0003189696.tif 000006
【図３Ｃ】
0003189696.tif 000007
【図４】
0003189696.tif 000008
【図５Ａ】
0003189696.tif 000009
【図５Ｂ】
0003189696.tif 000010
【図５Ｃ】
0003189696.tif 000011
【図５Ｄ】
0003189696.tif 000012
【図７】
0003189696.tif 000013
【図８】
0003189696.tif 000014
【図９】
0003189696.tif 000015
【図１０Ａ】
0003189696.tif 000016
【図１０Ｂ】
0003189696.tif 000017
【図１０Ｃ】
0003189696.tif 000018
【図１０Ｄ】
0003189696.tif 000019
【図１１Ａ】
0003189696.tif 000020
【図１１Ｂ】
0003189696.tif 000021
【図１１Ｃ】
0003189696.tif 000022
【図１１Ｄ】
0003189696.tif 000023
【図１２】
0003189696.tif 000024
【図１３】
0003189696.tif 000025
【図６Ａ】
0003189696.tif 000026
【図６Ｂ】
0003189696.tif 000027
【図６Ｃ】
0003189696.tif 000028
【図６Ｄ】
0003189696.tif 000029